(57)【要約】【課題】利便性を向上する。【解決手段】  既存場所情報取得部は、既存の場所を特定する情報である既存場所情報を取得する。マイスポット情報登録部は、既存場所情報に基づいて、複数の情報提供装置から提供されるスポットに関する情報であるスポット情報を取得し、取得したスポット情報のうちのユーザにより指定されたスポット情報をマイスポット情報として登録する。そして、リマインダ処理部は、現在位置の情報を示す現在位置情報に従って、現在位置を中心とした所定範囲内にあるスポットのスポット情報をユーザに提示する。本技術は、例えば、スポット情報を利用した情報処理システムに適用できる。【選択図】図２
2015014946.tif 000002
【特許請求の範囲】
【請求項１】
既存の場所を特定する情報である既存場所情報を取得する既存場所情報取得部と、
前記既存場所情報に基づいて、複数の情報提供装置から提供されるスポットに関する情報であるスポット情報を取得し、取得したスポット情報のうちのユーザにより指定されたスポット情報をマイスポット情報として登録するマイスポット情報登録部と
を備える情報処理装置。
【請求項２】
現在位置の情報を示す現在位置情報に従って、前記現在位置に基づいた所定範囲内にある前記スポットのスポット情報をユーザに提示するリマインダ処理部
をさらに備える請求項１に記載の情報処理装置。
【請求項３】
音声通話に関する処理を行う電話機能処理部をさらに備え、
前記既存場所情報取得部は、前記電話機能処理部により登録された電話番号、前記電話機能処理部により発信または着信された電話番号を前記既存場所情報として取得する
請求項１に記載の情報処理装置。
【請求項４】
ウェブページを表示させるブラウザ機能処理部をさらに備え、
前記既存場所情報取得部は、前記ブラウザ機能処理部により登録されたウェブページ、または、前記ブラウザ機能処理部による閲覧履歴に記録されたウェブページから、前記既存場所情報を取得する
請求項１に記載の情報処理装置。
【請求項５】
外部サービスと連系した処理を行う外部サービス連系機能処理部をさらに備え、
前記既存場所情報取得部は、前記外部サービス連系機能処理部が取得する前記外部サービスにおいて投稿される少なくとも位置情報を含むチェックイン情報を、前記既存場所情報として取得する
請求項１に記載の情報処理装置。
【請求項６】
前記既存場所情報取得部は、所定のタイミングで定期的に前記既存場所情報を取得し、
前記マイスポット情報登録部は、前記既存場所情報に基づいて前記スポット情報を取得したタイミングで、前記スポット情報を取得した旨をユーザに通知する
請求項１に記載の情報処理装置。
【請求項７】
前記スポット情報を表示する表示部をさらに備え、
前記表示部は、所定のスポットについて詳細な情報を表示するとき、そのスポットについて複数の前記情報提供装置から提供される前記スポット情報を統合して、１画面内に並べて表示する
請求項１に記載の情報処理装置。
【請求項８】
前記表示部は、前記マイスポット情報登録部が取得した、複数の前記情報提供装置から提供される前記スポット情報を統合した一覧となるリストを表示する
請求項７に記載の情報処理装置。
【請求項９】
既存の場所を特定する情報である既存場所情報を取得し、
前記既存場所情報に基づいて、複数の情報提供装置から提供されるスポットに関する情報であるスポット情報を取得し、取得したスポット情報のうちのユーザにより指定されたスポット情報をマイスポット情報として登録する
ステップを含む情報処理方法。
【請求項１０】
既存の場所を特定する情報である既存場所情報を取得し、
前記既存場所情報に基づいて、複数の情報提供装置から提供されるスポットに関する情報であるスポット情報を取得し、取得したスポット情報のうちのユーザにより指定されたスポット情報をマイスポット情報として登録する
ステップを含む処理をコンピュータに実行させるプログラム。
【請求項１１】
既存の場所を特定する情報である既存場所情報を取得する既存場所情報取得部と、
前記既存場所情報に基づいて、複数の情報提供装置から提供されるスポットに関する情報であるスポット情報を検索し、その検索結果を提供するスポット情報提供処理部と、
前記スポット情報提供処理部から提供される前記スポット情報のうちのユーザにより指定されたスポット情報をマイスポット情報として登録するマイスポット情報登録部と
を備える情報処理システム。
【発明の詳細な説明】
【技術分野】
【０００１】
本開示は、情報処理装置、情報処理方法、プログラム、および情報処理システムに関し、特に、利便性を向上することができるようにした情報処理装置、情報処理方法、プログラム、および情報処理システムに関する。
【背景技術】
【０００２】
従来、例えば、ユーザの位置情報の履歴による行動パターン（滞在状態および移動状態）に応じて、所定のタイミングで、所定のエリアに関連する情報（例えば、ランドマークの名称や、ランドマークの位置情報など）を提示する情報処理装置がある。また、ユーザが行ってみたい店舗または場所、或いは、ユーザが過去に行ったことがあるお気に入りの店舗または場所の情報を予め登録しておき、ユーザの位置情報に従って、その情報を提示してリマインドを行う情報処理装置がある。
【０００３】
例えば、本願出願人は、ユーザの嗜好に合ったブックマーク情報を、ユーザの現在位置および時間に応じて通知する情報処理装置を提案している（例えば、特許文献１参照）。
【先行技術文献】
【特許文献】
【０００４】
【特許文献１】特開２００６−２３７９３号公報
【発明の概要】
【発明が解決しようとする課題】
【０００５】
ところで、上述したような情報処理装置よりも、様々な情報提供元からの情報を、ユーザに適切に提供することにより、利便性をより向上させることが求められている。
【０００６】
本開示は、このような状況に鑑みてなされたものであり、利便性を向上することができるようにするものである。
【課題を解決するための手段】
【０００７】
本開示の一側面の情報処理装置は、既存の場所を特定する情報である既存場所情報を取得する既存場所情報取得部と、前記既存場所情報に基づいて、複数の情報提供装置から提供されるスポットに関する情報であるスポット情報を取得し、取得したスポット情報のうちのユーザにより指定されたスポット情報をマイスポット情報として登録するマイスポット情報登録部とを備える。
【０００８】
本開示の一側面の情報処理方法またはプログラムは、既存の場所を特定する情報である既存場所情報を取得し、前記既存場所情報に基づいて、複数の情報提供装置から提供されるスポットに関する情報であるスポット情報を取得し、取得したスポット情報のうちのユーザにより指定されたスポット情報をマイスポット情報として登録するステップを含む。
【０００９】
本開示の一側面の情報処理システムは、既存の場所を特定する情報である既存場所情報を取得する既存場所情報取得部と、前記既存場所情報に基づいて、複数の情報提供装置から提供されるスポットに関する情報であるスポット情報を検索し、その検索結果を提供するスポット情報提供処理部と、前記スポット情報提供処理部から提供される前記スポット情報のうちのユーザにより指定されたスポット情報をマイスポット情報として登録するマイスポット情報登録部とを備える。
【００１０】
本開示の一側面においては、既存の場所を特定する情報である既存場所情報が取得され、その既存場所情報に基づいて、複数の情報提供装置から提供されるスポットに関する情報であるスポット情報が取得され、取得されたスポット情報のうちのユーザにより指定されたスポット情報がマイスポット情報として登録される。
【発明の効果】
【００１１】
本開示の一側面によれば、利便性を向上することができる。
【図面の簡単な説明】
【００１２】
【図１】本技術を適用した情報処理システムの一実施の形態の構成例を示すブロック図である。
【図２】ユーザ端末の構成例を示すブロック図である。
【図３】メインメニュー画面を示す図である。
【図４】ウェブページ選択画面を示す図である。
【図５】チェックイン情報選択画面を示す図である。
【図６】マイスポット情報登録画面を示す図である。
【図７】マイスポット情報のリスト表示画面を示す図である。
【図８】メインメニュー画面の登録フォルダ一覧表示を示す図である。
【図９】登録フォルダに登録されたマイスポット情報のリスト表示画面を示す図である。
【図１０】マイスポット情報の詳細表示画面を示す図である。
【図１１】マイスポット情報の詳細表示画面のコンテンツの表示例を示す図である。
【図１２】登録前スポット詳細画面を示す図である。
【図１３】リマインダ画面を示す図である。
【図１４】マイスポット情報のリスト表示画面を示す図である。
【図１５】マイスポット情報を登録する処理を説明するフローチャートを示す図である。
【図１６】リマインダ処理を説明するフローチャートを示す図である。
【図１７】本技術を適用したコンピュータの一実施の形態の構成例を示すブロック図である。
【発明を実施するための形態】
【００１３】
以下、本技術を適用した具体的な実施の形態について、図面を参照しながら詳細に説明する。
【００１４】
図１は、本技術を適用した情報処理システムの一実施の形態の構成例を示すブロック図である。
【００１５】
図１において、情報処理システム１１は、例えば、インターネットなどからなるネットワーク１２を介して、ユーザ端末１３およびスポット情報集積サーバ１４が接続されて構成される。また、ネットワーク１２には、飲食店や観光施設などの各種のスポットに関する情報であるスポット情報をスポット情報集積サーバ１４に提供する複数の情報提供装置１５が接続され、図１の例では、３台の情報提供装置１５Ａ乃至１５Ｃが接続されている。
【００１６】
例えば、情報提供装置１５Ａ乃至１５Ｃからスポット情報集積サーバ１４に提供されるスポット情報には、スポットを特定する文字情報（例えば、電話番号およびスポット名称）および位置情報（緯度および経度）のいずれかが少なくとも含まれている。また、スポット情報には、スポット側から発信される公式な情報や、スポットを利用した利用者により投稿されたコメントなどが含まれる。
【００１７】
ユーザ端末１３は、いわゆるスマートフォンと称される多機能型の情報処理端末であり、例えば、音声通話に関する処理を行う電話機能、および、ウェブページの表示に関する処理を行うブラウザ機能を備えている。また、ユーザ端末１３は、ユーザどうしのコミュニケーションを推進するＳＮＳ（Social Networking Service：ソーシャルネットワーキングサービス）などの外部サービスと連系した処理を行う外部サービス連系機能を備えている。なお、ユーザ端末１３の構成については、図２を参照して後述する。
【００１８】
また、ユーザ端末１３は、ネットワーク１２を介して、所定の場所に関する情報である既存場所情報をスポット情報集積サーバ１４に送信し、その既存場所情報に対応するスポット情報がスポット情報集積サーバ１４から提供される。ここで、既存場所情報は、ユーザがユーザ端末１３を利用したことに基づき、ユーザ端末１３に記録される場所に関する情報である。例えば、既存場所情報には、ユーザがユーザ端末１３を使用して発信した電話の電話番号や、ユーザがユーザ端末１３に表示させたウェブページに記載されていたスポット名称や電話番号、コメントまたは写真と共にＳＮＳに投稿（ユーザ自身による投稿、および、ユーザがフレンド登録した他のユーザの投稿）される位置情報などが含まれる。つまり、既存場所情報により特定される場所は、ユーザ端末１３を介して間接的にユーザにとって既存となった場所のことであって、ユーザが直接的に訪れたことによって既存となった場所とは異なるものである。
【００１９】
スポット情報集積サーバ１４は、ネットワーク１２を介して、所定のタイミングで定期的に、情報提供装置１５Ａ乃至１５Ｃから提供されるスポット情報を取得して蓄積する。そして、スポット情報集積サーバ１４は、ユーザ端末１３から送信されてきた既存場所情報に対応するスポット情報をユーザ端末１３に送信する。図１の例では、スポット情報集積サーバ１４は、スポット情報収集処理部２１、スポット情報蓄積部２２、およびスポット情報提供処理部２３を備えて構成される。
【００２０】
スポット情報収集処理部２１は、情報提供装置１５Ａ乃至１５Ｃごとに予め設定されているタイミングで（例えば、１日ごとや１週間ごとに）、情報提供装置１５Ａ乃至１５Ｃから提供されるスポット情報を収集して、スポット情報蓄積部２２に蓄積する。具体的には、スポット情報収集処理部２１は、情報提供装置１５Ａ乃至１５Ｃが提供するAPI（Application Programming Interface）を利用して、スポット情報を取得することができる。また、スポット情報収集処理部２１は、スポット情報を保管するための所定のフォルダを指定し、情報提供装置１５Ａ乃至１５Ｃがフォルダに置いたスポット情報を取得することができる。
【００２１】
スポット情報蓄積部２２は、スポット情報収集処理部２１が収集したスポット情報を蓄積する。
【００２２】
スポット情報提供処理部２３は、ユーザ端末１３が送信する既存場所情報を、ネットワーク１２を介して取得し、その既存場所情報に含まれる文字情報または位置情報に基づいて、スポット情報蓄積部２２に蓄積されているスポット情報を検索する。そして、スポット情報提供処理部２３は、その検索を行った結果、ユーザ端末１３から送信されてきた既存場所情報に対応するスポット情報を、ネットワーク１２を介してユーザ端末１３に送信する。
【００２３】
情報提供装置１５Ａ乃至１５Ｃは、例えば、飲食店に関する情報を提供するグルメサイトや、観光施設に関する情報を提供する旅行サイトなどを運営して、様々なスポット情報を提供するサービスを行うサービス提供会社などにより管理されるサーバ装置である。例えば、情報提供装置１５Ａ乃至１５Ｃのサービス提供会社が、飲食店を利用した利用者のコメントを提供するグルメサイトを運営している場合でも、それぞれのサービスを利用する利用者が異なっていれば、同一の飲食店に対するコメントは異なるものとなる。そのため、情報提供装置１５Ａ乃至１５Ｃから提供されるスポット情報の内容は、同一のスポットに対しても、それぞれ異なるものとなる。
【００２４】
このように構成される情報処理システム１１では、同一のスポットに対して、情報提供装置１５Ａ乃至１５Ｃから取得した、それぞれ内容の異なるスポット情報を統合して、ユーザ端末１３に提供することができる。従って、例えば、情報処理システム１１においてユーザ端末１３に提供されるスポット情報に含まれるコメントは、スポット情報集積サーバ１４を管理する自社のサービスを利用する利用者のコメントと、情報提供装置１５Ａ乃至１５Ｃを管理する他社のサービスを利用する利用者のコメントとが対象とされる。
【００２５】
もちろん、ユーザは、ユーザ端末１３のブラウザ機能を利用して、情報提供装置１５Ａ乃至１５Ｃのサービス提供会社が運営するサイトに直接的にアクセスしてスポット情報を閲覧することはできる。しかしながら、この場合、あるスポットについて多くの情報を取得したければ、それぞれのサイトに個別にアクセスしなければならない。
【００２６】
これに対し、情報処理システム１１では、情報提供装置１５Ａ乃至１５Ｃから取得したスポット情報を統合して、ユーザ端末１３に提供するため、ユーザの手間を省くことができ、利便性を向上させることができる。
【００２７】
次に、図２は、ユーザ端末１３の構成例を示すブロック図である。
【００２８】
図２に示すように、ユーザ端末１３は、タッチパネル３１、位置情報検出部３２、撮像部３３、記憶部３４、通信部３５、機能実行部３６、スポット情報処理部３７を備えて構成される。
【００２９】
タッチパネル３１は、LCD（Liquid Crystal Display）パネルや有機ＥＬ（Electro Luminescence）パネルなどからなる表示部４１、および、抵抗膜方式や静電容量方式などを利用してユーザの指のタッチ（または近接）を検出する検出部４２を有している。
【００３０】
例えば、タッチパネル３１は、ユーザのタッチ入力を受け付けるボタンなどのGUI（Graphical User Interface）が配置された画面を表示部４１に表示する。そして、ユーザが、タッチパネル３１の表面を指などでタッチすると、そのタッチされた箇所が検出部４２により検出される。これに従い、タッチパネル３１は、タッチが検出された箇所に表示されているGUIに対する操作が行われたことを示す操作信号を機能実行部３６またはスポット情報処理部３７に供給する。
【００３１】
位置情報検出部３２は、例えば、GPS（Global Positioning System）や無線LAN（Local Area Network）などの電波を利用してユーザ端末１３の現在位置を検出し、ユーザ端末１３の現在位置を示す現在位置情報（緯度および経度）を出力する。また、現在位置情報には、例えば、高さを示す情報や、建物のフロアを示す情報などを加えてもよい。
【００３２】
撮像部３３は、CCD（Charge Coupled Device）やCMOS（Complementary Metal Oxide Semiconductor）センサなどの撮像素子を有しており、ユーザの操作に応じて被写体を撮像する。そして、撮像部３３は、被写体を撮像して得られる画像データに、位置情報検出部３２から出力される現在位置情報を付加して記憶部３４に記憶させる。
【００３３】
記憶部３４は、データの書き換え可能なフラッシュメモリ（例えば、EEPROM（Electronically Erasable and Programmable Read Only Memory））などにより構成される。記憶部３４は、撮像部３３から供給される画像データ、および、機能実行部３６およびスポット情報処理部３７が処理を行うのに必要な各種の情報を記憶する。
【００３４】
通信部３５は、所定の通信規格に従って、ネットワーク１２を介した通信を行う。例えば、通信部３５は、スポット情報集積サーバ１４と通信を行って、上述したような既存場所情報をスポット情報集積サーバ１４に送信したり、スポット情報集積サーバ１４から送信されてくるスポット情報を受信したりする。
【００３５】
機能実行部３６は、ユーザ端末１３が有する各種の機能を実行し、それらの機能を実行することによって取得される情報を記憶部３４に記憶させる。図２の例では、機能実行部３６は、ブラウザ機能処理部５１、電話機能処理部５２、外部サービス連系機能処理部５３を有して構成される。
【００３６】
ブラウザ機能処理部５１は、ユーザの操作に応じて、ウェブページをタッチパネル３１に表示させる処理を行う。また、ブラウザ機能処理部５１は、記憶部３４に記憶されている閲覧履歴リストおよびブックマークリストを管理する。閲覧履歴リストには、ユーザ端末１３で閲覧したウェブページのURL（Uniform Resource Locator）が記録され、ブックマークリストには、任意のウェブページへのアクセスを容易にするために、そのウェブページのURLが登録される。
【００３７】
例えば、ブラウザ機能処理部５１は、ウェブページをタッチパネル３１に表示させる際に、そのウェブページのインターネット上における場所を特定する情報であるURLを取得する。そして、ブラウザ機能処理部５１は、取得した全てのURLを閲覧履歴リストに記録したり、ユーザによりブックマークするように操作されたウェブページのURLをブックマークリストに登録したりする。
【００３８】
電話機能処理部５２は、ユーザの操作に応じて、ユーザ端末１３による音声通話に関する処理を行う。また、電話機能処理部５２は、記憶部３４に記憶されている電話帳リスト、発信履歴リスト、および着信履歴リストを管理する。例えば、電話機能処理部５２は、ユーザにより登録するように操作された電話番号を電話帳リストに登録し、ユーザ端末１３から発信した全ての電話番号を発信履歴リストに登録し、ユーザ端末１３に着信があった全ての電話番号を着信履歴リストに登録する。
【００３９】
外部サービス連系機能処理部５３は、ＳＮＳなどの外部サービスと連系した処理を行う。ＳＮＳでは、例えば、ＳＮＳの利用者が、飲食店や観光施設などのスポットを訪れた際に、そのスポットについてのコメントや写真などを、現在位置の位置情報とともに投稿するチェックインと称される機能が提供されている。そして、ユーザがチェックインを行うと、ＳＮＳを提供するサーバは、スポットについてのコメントおよび写真と共に、例えば、チェックインしたユーザおよび日付を特定する情報、および、位置情報から特定される場所に関する情報（例えば、スポット名称や近隣の駅の名称など）を、チェックイン情報として取得する。
【００４０】
そして、外部サービス連系機能処理部５３は、ユーザ端末１３のユーザが指定する他のユーザのチェックイン情報を、ＳＮＳを提供するサーバが取得すると、そのチェックイン情報を取得して、記憶部３４に記憶されているチェックイン情報リストに登録する。
【００４１】
スポット情報処理部３７は、記憶部３４に記憶される各種のリスト（閲覧履歴リスト、ブックマークリスト、電話帳リスト、発信履歴リスト、着信履歴リスト、または、チェックイン情報リスト）に登録されている情報に基づいて取得されるスポット情報に関する処理を行う。図２の例では、スポット情報処理部３７は、既存場所情報取得処理部６１、マイスポット情報登録処理部６２、およびリマインダ表示処理部６３を有して構成される。
【００４２】
既存場所情報取得処理部６１は、所定のタイミングで定期的に、または、ユーザによる選択（指示）に従って、記憶部３４に記憶される各種のリストに登録されている情報に基づき、所定の場所に関する情報である既存場所情報を取得する処理を行う。なお、既存場所情報取得処理部６１が既存場所情報を取得する処理については、図３乃至５を参照して後述する。そして、既存場所情報取得処理部６１は、取得した既存場所情報を、通信部３５を介して図１のスポット情報集積サーバ１４に送信して、既存場所情報から特定されるスポットに関するスポット情報の提供を要求する。ここで、スポット情報集積サーバ１４に送信される既存場所情報は、原則的には、スポット情報集積サーバ１４においてスポット情報を検索する処理に用いられるだけであって、スポット情報集積サーバ１４に保管されないように運用される。なお、スポット情報集積サーバ１４に送信された既存場所情報が、スポット情報集積サーバ１４に保存されるようにしてもよい。
【００４３】
マイスポット情報登録処理部６２は、既存場所情報取得処理部６１からの要求に応じてスポット情報集積サーバ１４が送信するスポット情報を、通信部３５を介して取得する。そして、マイスポット情報登録処理部６２は、取得したスポット情報の一覧を、既存場所情報に基づく検索結果としてタッチパネル３１に表示し、それらのスポット情報の中からユーザが選択したものを、マイスポット情報として登録する処理を行う。また、マイスポット情報登録処理部６２は、ユーザの操作に従って、マイスポット情報ごとに、「行った」または「行きたい」を示すステータスを設定する。なお、マイスポット情報登録処理部６２がマイスポット情報を登録する処理については、図６乃至１２を参照して後述する。
【００４４】
リマインダ表示処理部６３は、ユーザ端末１３の現在位置を中心とした所定範囲内に、「行きたい」を示すステータスが設定されているマイスポット情報のスポットがあるとき、そのスポットをユーザに思い出させるリマインダを表示する処理を行う。また、例えば、リマインダ表示処理部６３は、ユーザ端末１３の現在位置が所定の建物内となったときに、その建物内に「行きたい」を示すステータスが設定されているマイスポット情報のスポットがあるとき、リマインダを表示する処理を行うことができる。なお、リマインダ表示処理部６３がリマインダを表示する処理については、図１３および１４を参照して後述する。
【００４５】
次に、図３は、スポット情報処理部３７が処理の実行を開始する時にタッチパネル３１に表示されるメインメニュー画面を示す図である。
【００４６】
図３に示すように、メインメニュー画面１０１には、画面名称表示エリア１０２、メニュー表示エリア１０３、および、お勧めコンテンツ表示エリア１０４が表示される。
【００４７】
画面名称表示エリア１０２には、スポット情報に関する処理を行う主なメニューを表示するメインメニュー画面１０１が表示されていることを示す画面名称が表示され、図３の例では、画面名称「メインメニュー」が表示されている。
【００４８】
メニュー表示エリア１０３には、スポットを検索するのに使用する手段を選択するためのボタン（GUI）が表示される。図３の例では、メニュー表示エリア１０３には、スポット検索メニューとして、キーワードボタン１０５および場所ボタン１０６が表示される。また、メニュー表示エリア１０３には、スマートフォン同期メニューとして、電話番号同期開始ボタン１０７、電話番号同期結果表示ボタン１０７Ａ、URL同期開始ボタン１０８、URL同期結果表示ボタン１０８Ａ、SNS同期開始ボタン１０９、およびSNS同期結果表示ボタン１０９Ａが表示されている。
【００４９】
なお、メニュー表示エリア１０３の表示は、図３に示すようなスポットを検索するのに使用する手段を選択するためのボタンを表示するスポット登録表示と、マイスポット情報が登録された登録フォルダを一覧で表示するフォルダ一覧表示とで切り替えることができる。即ち、メニュー表示エリア１０３の上部に表示されるスポット登録タブ１１１およびフォルダ一覧タブ１１２は、互いに排他的に選択され、図３の表示例では、スポット登録タブ１１１が選択された状態（スポット登録表示）が示されている。また、フォルダ一覧タブ１１２が選択された状態（フォルダ一覧表示）については、図８を参照して後述する。
【００５０】
キーワードボタン１０５は、ユーザが入力するキーワードを使用してスポットを検索することを選択するときに操作され、場所ボタン１０６は、ユーザ端末１３の現在位置を使用してスポットを検索することを選択するときに操作される。
【００５１】
また、電話番号同期開始ボタン１０７は、記憶部３４に記憶されている電話帳リスト、発信履歴リスト、および着信履歴リストに登録されている電話番号から得られる既存場所情報と、スポット情報集積サーバ１４に蓄積されているスポット情報との紐付を同期させる電話番号同期処理を開始することを選択するときに操作される。電話番号同期結果表示ボタン１０７Ａは、直近の電話番号同期処理による結果を表示させるときに操作され、電話番号同期結果表示ボタン１０７Ａがタッチされると、例えば、後述する図６のマイスポット情報登録画面が表示される。
【００５２】
URL同期開始ボタン１０８は、記憶部３４に記憶されている閲覧履歴リストおよびブックマークリストに登録されているURLから得られる既存場所情報と、スポット情報集積サーバ１４に蓄積されているスポット情報との紐付を同期させるURL同期処理を開始するときに操作される。URL同期結果表示ボタン１０８Ａは、直近のURL同期処理による結果を表示させるときに操作され、URL同期結果表示ボタン１０８Ａがタッチされると、例えば、後述する図６のマイスポット情報登録画面が表示される。
【００５３】
SNS同期開始ボタン１０９は、記憶部３４に記憶されているチェックイン情報リストに登録されているチェックイン情報から得られる既存場所情報と、スポット情報集積サーバ１４に蓄積されているスポット情報との紐付を同期させるSNS同期処理を開始することを選択するときに操作される。SNS同期結果表示ボタン１０９Ａは、直近のSNS同期処理による結果を表示させるときに操作され、SNS同期結果表示ボタン１０９Ａがタッチされると、例えば、後述する図５のチェックイン情報選択画面が表示される。
【００５４】
また、例えば、ユーザ端末１３において電話番号同期処理が行われ、ユーザが確認していない同期結果があるとき、図３に示すように、電話番号同期結果表示ボタン１０７Ａに重ねて、新たな同期結果があることを通知するマーク「NEW」が表示される。なお、図示しないが、URL同期結果表示ボタン１０８ＡおよびSNS同期結果表示ボタン１０９Ａについても、同様である。また、例えば、ユーザ端末１３においてSNS同期処理が行われなく、同期結果が得られていない場合には、SNS同期結果表示ボタン１０９Ａはグレーアウトで表示され選択不可とされる。なお、電話番号同期結果表示ボタン１０７ＡおよびURL同期結果表示ボタン１０８Ａについても、同様である。
【００５５】
お勧めコンテンツ表示エリア１０４には、スポット情報を提供するサービスを行うサービス提供会社が推奨するコンテンツを表示させるときに操作されるボタンが表示され、図３の例では、グルメ情報ボタン１１０Ａおよび１１０Ｂが表示されている。例えば、グルメ情報ボタン１１０Ａは、情報提供装置１５Ａを管理するサービス提供会社が推奨するコンテンツを表示させるときに操作される。また、例えば、グルメ情報ボタン１１０Ｂは、情報提供装置１５Ｂを管理するサービス提供会社が推奨するコンテンツを表示させるときに操作される。
【００５６】
ここで、ユーザが、電話番号同期開始ボタン１０７をタッチすると、既存場所情報取得処理部６１は、記憶部３４に記憶されている電話帳リスト、発信履歴リスト、および着信履歴リストから全ての電話番号を読み出して、既存場所情報として取得する。また、例えば、既存場所情報取得処理部６１は、全ての電話番号を読み出す他、所定期間内（例えば、１週間以内）に登録された電話番号を取得するようにしてもよい。
【００５７】
なお、一般的に、飲食店や観光施設などは固定電話機を備えていることが想定される。そこで、既存場所情報取得処理部６１は、読み出した全ての電話番号に対して、携帯電話機に対応する電話番号によりフィルタリングを施し、固定電話に対応する電話番号だけを既存場所情報として取得してもよい。さらに、既存場所情報取得処理部６１は、国際電話識別番号や、国番号、地域番号（市外局番）などによりフィルタリングを施し、現在位置に基づいて、取得する電話番号を絞り込むことができる。例えば、既存場所情報取得処理部６１は、所定の１つの国（例えば、日本）でフィルタリングしたり、所定の複数の国（例えば、アメリカとカナダなど）でフィルタリングしたりすることができる。また、例えば、既存場所情報取得処理部６１は、現在位置となっている地域（県や州など）により絞り込みを行ってもよい。
【００５８】
また、ユーザが、URL同期開始ボタン１０８をタッチすると、既存場所情報取得処理部６１は、後述する図４に示すウェブページ選択画面をタッチパネル３１に表示する。ウェブページ選択画面により、閲覧履歴リストおよびブックマークリストに登録されているURLのウェブページのうち、スポット情報を取得するのに使用するウェブページがユーザにより選択される。そして、既存場所情報取得処理部６１は、ユーザにより選択されたウェブページから既存場所情報を取得する。
【００５９】
また、ユーザが、SNS同期開始ボタン１０９をタッチすると、既存場所情報取得処理部６１は、後述する図５に示すチェックイン情報選択画面をタッチパネル３１に表示する。チェックイン情報選択画面により、チェックイン情報リストに登録されているチェックイン情報のうち、スポット情報を取得するのに使用するチェックイン情報がユーザにより選択される。そして、既存場所情報取得処理部６１は、ユーザにより選択されたチェックイン情報から既存場所情報を取得する。
【００６０】
図４には、既存場所情報取得処理部６１がタッチパネル３１に表示するウェブページ選択画面が示されている。
【００６１】
図４に示すように、ウェブページ選択画面１２１には、画面名称表示エリア１２２、ブックマークタブ１２３、履歴タブ１２４、リスト表示エリア１２５、および選択ボタン１２６が表示される。
【００６２】
画面名称表示エリア１２２には、ウェブページ選択画面１２１が表示されていることを示す画面名称が表示され、図４の例では、画面名称「ＵＲＬリスト」が表示されている。
【００６３】
ブックマークタブ１２３および履歴タブ１２４は、互いに排他的に選択され、図４の例では、履歴タブ１２４が選択されている状態が示されている。ブックマークタブ１２３は、ブックマークリストに登録されているウェブページのタイトルをリスト表示エリア１２５に表示させるときに選択される。履歴タブ１２４は、閲覧履歴リストに登録されているウェブページのタイトルをリスト表示エリア１２５に表示させるときに選択される。
【００６４】
リスト表示エリア１２５には、閲覧履歴リストまたはブックマークリストに登録されているウェブページのタイトルの一覧が表示される。図４の例では、履歴タブ１２４が選択されている状態が示されており、リスト表示エリア１２５には、閲覧履歴リストに登録されているウェブページのタイトルの一覧が表示されている。
【００６５】
また、リスト表示エリア１２５では、タイトルごとにチェックボックス１２７が表示され、ユーザは、チェックボックス１２７を利用して、それぞれのタイトルのウェブサイトを選択することができる。例えば、図４のリスト表示エリア１２５には、チェックボックス１２７−１乃至１２７−７が表示されており、チェックボックス１２７−１が選択された状態が示されている。
【００６６】
選択ボタン１２６は、スポットの検索に使用するウェブサイトの選択を決定するときに操作される。
【００６７】
例えば、ユーザは、リスト表示エリア１２５のチェックボックス１２７を利用して、スポットの検索に使用するウェブサイトを選択し、選択ボタン１２６を操作して、その選択を決定することができる。これに応じて、既存場所情報取得処理部６１は、ユーザにより選択されたウェブページにアクセスして、それぞれウェブページに記載されている文字を認識する文字認識処理を行う。そして、文字認識処理を行った結果、既存場所情報取得処理部６１は、ユーザにより選択されたウェブページにスポット名称および電話番号の少なくとも一方が記載されていることを認識した場合、その認識したスポット名称および電話番号の少なくとも一方を既存場所情報として取得する。さらに、既存場所情報取得処理部６１は、ウェブページに埋め込まれている所定の識別子（ＩＤ）、具体的には、HTML（Hyper Text Markup Language）やＸＭＬ（Extensible Markup Language）などに書き込むタグを既存場所情報として取得してもよい。なお、ユーザにより選択されたウェブページから既存場所情報を取得する処理は、既存場所情報取得処理部６１が行う他、例えば、その処理を行うことをスポット情報集積サーバ１４に対して要求し、スポット情報集積サーバ１４において処理を行った結果を既存場所情報取得処理部６１が取得してもよい。
【００６８】
図５には、既存場所情報取得処理部６１がタッチパネル３１に表示するチェックイン情報選択画面が示されている。なお、ユーザが図３のSNS同期開始ボタン１０９をタッチした場合には、その時点におけるチェックイン情報が取得されて最新のチェックイン情報をリスト表示するチェックイン情報選択画面が表示される。また、ユーザが図３のSNS同期結果表示ボタン１０９Ａをタッチした場合には、例えば、自動同期などによりチェックイン情報が取得されるタイミングにおいて取得されていたチェックイン情報をリスト表示するチェックイン情報選択画面が表示される。
【００６９】
図５に示すように、チェックイン情報選択画面１３１には、画面名称表示エリア１３２、リスト表示エリア１３３、および選択ボタン１３４が表示される。
【００７０】
画面名称表示エリア１３２には、チェックイン情報選択画面１３１が表示されていることを示す画面名称が表示され、図５の例では、画面名称「ＳＮＳチェックリスト」が表示されている。
【００７１】
リスト表示エリア１３３には、チェックイン情報リストに登録されているチェックイン情報のうち、チェックイン情報選択画面１３１に表示する情報の一覧が表示される。ここで、チェックイン情報選択画面１３１に表示する情報としては、チェックインしたユーザのプロフィール画像およびユーザ名、チェックインした日付および場所、並びに、チェックイン時に投稿したコメントおよび画像がある。
【００７２】
また、リスト表示エリア１３３には、表示されるチェックイン情報ごとにチェックボックス１３５が表示され、ユーザは、チェックボックス１３５を利用して、それぞれのチェックイン情報を選択することができる。例えば、図５のリスト表示エリア１３３には、チェックボックス１３５−１乃至１３５−４が表示されており、チェックボックス１２７−２および１２７−３が選択された状態が示されている。
【００７３】
選択ボタン１３４は、スポットの検索に使用するチェックイン情報の選択を決定するときに操作される。
【００７４】
例えば、ユーザは、リスト表示エリア１３３のチェックボックス１３５を利用して、スポットの検索に使用するチェックイン情報を選択し、選択ボタン１３４を操作して、その選択を決定することができる。これに応じて、既存場所情報取得処理部６１は、ユーザにより選択されたチェックイン情報を、記憶部３４に記憶されているチェックイン情報リストから読み出し、選択されたチェックイン情報に含まれている位置情報およびスポット名称を既存場所情報として取得する。また、既存場所情報取得処理部６１は、チェックイン情報に含まれているコメントに対して文字認識処理を行うことにより既存場所情報を取得してもよい。
【００７５】
以上のように、既存場所情報取得処理部６１は、既存場所情報（例えば、電話番号、スポット名称、または位置情報）を取得し、取得した既存場所情報を図１のスポット情報集積サーバ１４に送信する。これに応じて、スポット情報集積サーバ１４が、既存場所情報に対応するスポット情報を送信すると、マイスポット情報登録処理部６２がスポット情報を取得する。そして、マイスポット情報登録処理部６２は、取得したスポット情報の中から、ユーザにより選択されたものをマイスポット情報として登録するために、マイスポット情報登録画面をタッチパネル３１に表示する。
【００７６】
図６には、マイスポット情報登録処理部６２がタッチパネル３１に表示するマイスポット情報登録画面が示されている。
【００７７】
図６に示すように、マイスポット情報登録画面１４１には、画面名称表示エリア１４２、リスト表示エリア１４３、登録ボタン１４４、並び替えボタン１４５Ａ、および絞り込みボタン１４５Ｂが表示される。例えば、マイスポット情報登録処理部６２は、スポット情報集積サーバ１４からスポット情報を取得したタイミングでマイスポット情報登録画面１４１を表示することができる。または、マイスポット情報登録処理部６２は、スポット情報集積サーバ１４からスポット情報を取得したことをメインメニュー画面１０１でユーザに通知し、ユーザの操作に応じたタイミングでマイスポット情報登録画面１４１を表示することができる。
【００７８】
画面名称表示エリア１４２には、マイスポット情報として登録可能なスポット情報を表示するマイスポット情報登録画面１４１であることを示す画面名称が表示され、図６の例では、画面名称「登録可能」が表示されている。また、リスト表示エリア１４３には所定数ごとにスポット情報が表示されるため、画面名称表示エリア１４２には、現在表示されている所定数のスポット情報に対して次に表示する所定数のスポット情報を表示させるためのボタン１４５が表示されている。
【００７９】
並び替えボタン１４５Ａは、リスト表示エリア１４３に表示されるスポット情報を並び替えるときに操作され、並び替えボタン１４５Ａに対する操作を行うことで、並び替え条件が表示される。そして、ユーザにより選択された条件に従って並び替えられたスポット情報がリスト表示エリア１４３に表示される。絞り込みボタン１４５Ｂは、リスト表示エリア１４３に表示されるスポット情報を絞り込むときに操作され、絞り込みボタン１４５Ｂに対する操作を行うことで、絞り込み条件が表示される。そして、ユーザにより選択された条件に従って絞り込まれたスポット情報がリスト表示エリア１４３に表示される。
【００８０】
リスト表示エリア１４３には、マイスポット情報登録処理部６２が取得したスポット情報のリスト、即ち、情報提供装置１５Ａ乃至１５Ｃから提供されるスポット情報が統合されて一覧となるリストが表示される。
【００８１】
リスト表示エリア１４３に表示されるスポット情報としては、例えば、スポットの名称、スポットの住所、および、現在位置からスポットまでの距離がある。また、リスト表示エリア１４３には、表示されるスポット情報ごとにチェックボックス１４６が表示され、ユーザは、チェックボックス１４６を利用して、マイスポット情報として登録するスポット情報を選択することができる。例えば、図６のリスト表示エリア１４３では、チェックボックス１４６−１乃至１４６−３が表示されており、チェックボックス１４６−２および１４６−３が選択された状態が示されている。なお、リスト表示エリア１４３に、スポットの最寄駅や、最寄駅からスポットまでの距離、現在位置からスポットまでの推定移動時間、スポットに関する静止画像または動画像、スポットで利用することができるクーポンなどをスポット情報として表示してもよい。
【００８２】
さらに、リスト表示エリア１４３では、チェックボックス１４６を利用して選択されたスポット情報には、ドロップダウンリスト１４８およびステータス切り替えボタン１４７が表示されている。
【００８３】
ドロップダウンリスト１４８は、スポット情報を登録する際の登録フォルダを指定するときに操作され、ドロップダウンリスト１４８が操作されることにより表示される登録フォルダの一覧の中から、任意の登録フォルダを指定することができる。図６の例では、ドロップダウンリスト１４８−１および１４８−２が表示されており、いずれも名称「グルメ」の登録フォルダが指定されていることが示されている。また、登録フォルダを新規に作成することができ、登録フォルダの名称はユーザが任意に決定することができる。
【００８４】
ステータス切り替えボタン１４７は、スポットに対するステータスを切り替えるときに操作され、図６の例では、ステータスとして「行った」および「行きたい」を切り替えるステータス切り替えボタン１４７が示されている。図６の例では、ステータス切り替えボタン１４７−１は、ステータス「行った」を選択していることが示されており、ステータス切り替えボタン１４７−２は、ステータス「行きたい」を選択していることが示されている。
【００８５】
登録ボタン１４４は、選択したスポット情報を、マイスポット情報として登録することを実行するときに操作される。
【００８６】
例えば、ユーザは、リスト表示エリア１４３のチェックボックス１４６を利用して、マイスポット情報として登録するスポット情報を選択し、登録ボタン１４４を操作して、選択したスポット情報をマイスポット情報として登録させることができる。これに応じて、マイスポット情報登録処理部６２は、ユーザにより選択されたスポット情報を、マイスポット情報として、ドロップダウンリスト１４８を利用して指定された登録フォルダに登録する。そして、マイスポット情報登録処理部６２は、複数のマイスポット情報が登録フォルダに登録されている場合、マイスポット情報のリスト表示画面をタッチパネル３１に表示する。
【００８７】
図７には、マイスポット情報登録処理部６２がタッチパネル３１に表示するマイスポット情報のリスト表示画面が示されている。
【００８８】
図７に示すように、マイスポット情報のリスト表示画面１５１には、画面名称表示エリア１５２、リスト表示エリア１５３、およびフォルダ一覧ボタン１５４が表示される。
【００８９】
画面名称表示エリア１５２には、マイスポット情報登録画面１４１を利用してマイスポット情報を登録した結果として表示されるリスト表示画面１５１であることを示す画面名称が表示され、図７の例では、画面名称「登録結果」が表示されている。
【００９０】
リスト表示エリア１５３には、マイスポット情報登録画面１４１を利用して登録されたマイスポット情報のリストが表示される。リスト表示エリア１５３に表示されるマイスポット情報としては、例えば、スポットの画像および名称、スポットの住所、および、現在位置からスポットまでの距離がある。さらに、マイスポット情報ごとに、マイスポット情報が登録されている登録フォルダを示すドロップダウンリスト１５５−１乃至１５５−４、スポットに対するステータスを切り替えるステータス切り替えボタン１５６−１乃至１５６−４が表示される。なお、リスト表示エリア１５３には、スポットの最寄駅や、最寄駅からスポットまでの距離、現在位置からスポットまでの推定移動時間、スポットに関する静止画像または動画像、スポットで利用することができるクーポンなどをスポット情報として表示してもよい。
【００９１】
フォルダ一覧ボタン１５４は、マイスポット情報が登録されている登録フォルダの一覧を表示するときに操作される。ユーザが、フォルダ一覧ボタン１５４に対する操作を行うと、タッチパネル３１には、登録フォルダの一覧を表示するフォルダ一覧表示のメインメニュー画面が表示される。そして、ユーザが、フォルダ一覧表示のメインメニュー画面の中から閲覧したい登録フォルダを選択すると、マイスポット情報登録処理部６２は、その登録フォルダに登録されているマイスポット情報のリスト表示画面をタッチパネル３１に表示する。
【００９２】
図８には、マイスポット情報登録処理部６２がタッチパネル３１に表示する登録フォルダ一覧表示とされたメインメニュー画面が示されている。
【００９３】
図８に示すように、登録フォルダ一覧表示のメインメニュー画面１６１には、画面名表示エリア１６２、およびフォルダ表示エリア１６３が表示される。
【００９４】
画面名表示エリア１６２には、図３のメインメニュー画面１６１と同様に、画面名称「メインメニュー」が表示されている。
【００９５】
フォルダ表示エリア１６３には、キーワード検索ウィンドウ１６４、および、全ての登録フォルダのアイコン１６５の一覧が表示される。なお、フォルダ表示エリア１６３の表示は、図３を参照して上述したように、スポット登録表示およびフォルダ一覧表示で切り替えることができ、フォルダ表示エリア１６３の上部には、表示を切り替えるためのスポット登録タブ１６７およびフォルダ一覧タブ１６８が表示されている。即ち、図８の表示例では、フォルダ一覧タブ１６８が選択された状態（フォルダ一覧表示）が示されており、スポット登録タブ１６７が選択された場合には、図３のメニュー表示エリア１０３が表示される。
【００９６】
キーワード検索ウィンドウ１６４には、マイスポット情報として登録されているスポットを検索する際に、検索キーワードが入力される。
【００９７】
図８の例では、フォルダ表示エリア１６３には、登録フォルダのアイコン１６５−１乃至１６５−９が表示されており、フォルダ表示エリア１６３をスクロールさせることで、全ての登録フォルダのアイコン１６５を表示することができる。また、登録フォルダのアイコン１６５の下方には登録フォルダごとに、登録フォルダの名称と、登録フォルダに登録されているマイスポット情報の個数とが（例えば、アイコン１６５−５の登録フォルダの名称は京都旅行用であり、８０個のマイスポット情報が登録されていることが）表示される。さらに、登録フォルダのアイコン１６５には、その登録フォルダに登録されているマイスポット情報に含まれる画像（例えば、図１０の画像表示エリア１８４の画像）が最大４枚表示される。
【００９８】
そして、ユーザが、フォルダ一覧表示のメインメニュー画面１６１のフォルダ表示エリア１６３に表示されているアイコン１６５をタッチして登録フォルダを選択すると、その登録フォルダに登録されているマイスポット情報のリスト表示画面がタッチパネル３１に表示される。
【００９９】
図９には、マイスポット情報登録処理部６２がタッチパネル３１に表示する登録フォルダごとのマイスポット情報のリスト表示画面が示されている。
【０１００】
図９に示すように、登録フォルダごとのマイスポット情報のリスト表示画面１７１には、画面名表示エリア１７２、スポット名検索ウィンドウ１７３、並び替えボタン１７４、絞り込みボタン１７５、リスト表示エリア１７６、および地図表示エリア１７７が表示される。
【０１０１】
画面名表示エリア１７２には、リスト表示画面１７１に表示されているマイスポット情報が登録されている登録フォルダの名称が表示され、図９の例では、登録フォルダの名称「グルメ」が表示されている。また、画面名表示エリア１７２には、他の登録フォルダを選択する操作などを行うためのフォルダ操作ボタン１７８が表示される。
【０１０２】
スポット名検索ウィンドウ１７３には、マイスポット情報として登録されているスポットを検索する際に、検索キーワードが入力される。並び替えボタン１７４は、リスト表示エリア１７６に表示されるスポット情報を並び替えるときに操作され、絞り込みボタン１７５は、リスト表示エリア１７６に表示されるスポット情報を絞り込むときに操作される。
【０１０３】
リスト表示エリア１７６には、選択された登録フォルダに登録されているマイスポット情報のリストが表示される。また、リスト表示エリア１７６は、図９において地図表示エリア１７７が表示されている領域も含めた範囲で表示され、リスト表示エリア１７６のマイスポット情報ごとに表示される地図ボタンに対する操作が行われると、リスト表示エリア１７６の範囲が縮小されて、地図表示エリア１７７が表示される。
【０１０４】
地図表示エリア１７７は、リスト表示エリア１７６において地図ボタンに対する操作が行われたのに応じて、地図を表示する対象とされたスポット近辺の地図を表示する。また、地図表示エリア１７７には、対象とされたスポットの位置を示すアイコン１７９が表示される。さらに、地図表示エリア１７７には、ユーザ端末１３の現在位置を示すアイコンや、対象とされたスポットまでの経路などを表示することができる。
【０１０５】
例えば、ユーザが、図７のリスト表示エリア１５３または図９のリスト表示エリア１７６に表示されているマイスポット情報を選択すると、マイスポット情報登録処理部６２は、その選択されたマイスポット情報の詳細表示画面をタッチパネル３１に表示する。
【０１０６】
図１０は、マイスポット情報登録処理部６２がタッチパネル３１に表示するマイスポット情報の詳細表示画面が示されている。
【０１０７】
図１０に示すように、マイスポット情報の詳細表示画面１８１には、スポット名称表示エリア１８２、表示切り替えボタン１８３、画像表示エリア１８４、ステータス切り替えボタン１８５、スポット詳細情報表示エリア１８６が表示される。
【０１０８】
スポット名称表示エリア１８２には、マイスポット情報の詳細表示画面１８１に表示されているスポットのスポット名称が表示され、図１０の例では、スポット名称「イタリアンドレミファ」が表示されている。また、スポット名称表示エリア１８２には、スポットが登録される登録フォルダに対する操作（変更や削除など）を行うときに操作されるフォルダ操作ボタン１８７が表示される。さらに、スポット名称表示エリア１８２には、現在位置からスポットまでのナビゲーションを行うときに操作されるナビゲーションボタン１８８が表示される。
【０１０９】
表示切り替えボタン１８３は、マイスポット情報の詳細表示画面１８１の表示内容を切り替えるときに操作される。図１０の例では、表示切り替えボタン１８３は、表示内容として「マップ」および「詳細情報」を切り替えることができ、表示内容「詳細情報」を選択していることが示されている。
【０１１０】
画像表示エリア１８４には、マイスポット情報に含まれているスポットの画像が表示される。また、画像表示エリア１８４には、例えば、情報提供装置１５Ａ乃至１５Ｃから取得したスポット情報に含まれる画像が単独で表示され、または、それらのスポット情報に含まれる画像が混在されて表示される。
【０１１１】
ステータス切り替えボタン１８５は、図６のステータス切り替えボタン１４７と同様に、スポットに対するステータスを切り替えるときに操作される。
【０１１２】
スポット詳細情報表示エリア１８６には、スポットに関する詳細な情報が表示され、図１０の例では、マイスポット情報に含まれているスポットの電話番号、住所、情報元、およびURLが表示されている。ここで、スポット詳細情報表示エリア１８６に表示されるスポットの情報元は、そのスポットのスポット情報を取得した際の既存場所情報に基づいたものとされる。例えば、ＳＮＳのチェックイン情報から既存場所情報を取得した場合には、チェックイン情報を投稿したユーザの名前が表示され、図１０の例では、「ユーザＡ」と表示されている。また、例えば、電話番号から既存場所情報を取得した場合には、電話番号が表示され、ＵＲＬから既存場所情報を取得した場合には、そのＵＲＬのＨＴＭＬタイトルが表示される。なお、スポット詳細情報表示エリア１８６にＵＲＬを表示させる他、例えば、スポット名称表示エリア１８２のスポット名称や画像表示エリア１８４の画像などに、ハイパーリンクとしてＵＲＬを対応させてもよい。
【０１１３】
さらに、マイスポット情報の詳細表示画面１８１の表示をスクロールさせることで、図１１に示すように、表示中のスポットで利用可能なクーポンや、そのスポットについての様々な情報などを含むコンテンツを表示させることができる。
【０１１４】
図１１に示すマイスポット情報の詳細表示画面１８１の例では、情報提供装置１５Ａのサービス提供会社が提供するコンテンツを表示するコンテンツ表示エリア１８９Ａ、および、情報提供装置１５Ｂのサービス提供会社が提供するコンテンツを表示するコンテンツ表示エリア１８９Ｂが表示されている。なお、図示しないが、情報提供装置１５Ｃのサービス提供会社が提供するコンテンツは、マイスポット情報の詳細表示画面１８１の表示をさらにスクロールさせることで表示される。このように、タッチパネル３１には、複数の異なるサービス提供会社から提供されるコンテンツが統合されて、１画面内に並べて表示される。なお、サービス提供会社ごとに表示されるようにしてもよい。
【０１１５】
コンテンツ表示エリア１８９Ａおよびコンテンツ表示エリア１８９Ｂには、例えば、それぞれのサービス提供会社が提供するクーポンの内容が表示される。さらに、コンテンツ表示エリア１８９Ａには、例えば、情報提供装置１５Ａのサービス提供会社独自のスポット情報を表示したり、情報提供装置１５Ａのサービス提供会社が運営するサイトにアクセスするためのＵＲＬを表示することができる。同様に、コンテンツ表示エリア１８９Ｂには、例えば、情報提供装置１５Ｂのサービス提供会社独自のスポット情報を表示したり、情報提供装置１５Ｂのサービス提供会社が運営するサイトにアクセスするためのＵＲＬを表示することができる。
【０１１６】
なお、マイスポット情報の詳細表示画面１８１は、例えば、検索を行って表示させることができる。検索によりマイスポット情報の詳細表示画面１８１が表示されたときには、例えば、ステータス切り替えボタン１８５など一部の機能は非表示とされる。
【０１１７】
ここで、図６のマイスポット情報登録画面１４１において、マイスポット情報を登録する前に、リスト表示エリア１４３に表示されているスポット情報の欄をユーザがタッチすると、マイスポット情報登録処理部６２は、その欄に表示されているスポット情報の詳細情報を表示する登録前スポット詳細画面をタッチパネル３１に表示する。
【０１１８】
図１２には、マイスポット情報登録処理部６２がタッチパネル３１に表示する登録前スポット詳細画面が示されている。
【０１１９】
図１２に示すように、登録前スポット詳細画面１９１には、スポット名称表示エリア１９２、表示切り替えボタン１９３、画像表示エリア１９４、ドロップダウンリスト１９６、ステータス切り替えボタン１９５、登録ボタン１９７が表示される。
【０１２０】
スポット名称表示エリア１９２には、登録前スポット詳細画面１９１に表示されているスポットのスポット名称が表示され、図１２の例では、スポット名称「イタリアンドレミファ」が表示されている。つまり、例えば、図６のマイスポット情報登録画面１４１のリスト表示エリア１４３に表示されているスポット名称「イタリアンドレミファ」の欄をユーザがタッチしたときに、スポット名称「イタリアンドレミファ」の詳細情報を表示する登録前スポット詳細画面１９１が表示される。また、スポット名称表示エリア１９２には、現在位置からスポットまでのナビゲーションを行うときに操作されるナビゲーションボタン１９８が表示される。
【０１２１】
表示切り替えボタン１９３は、登録前スポット詳細画面１９１の表示内容を切り替えるときに操作される。図１２の例では、表示切り替えボタン１９３は、表示内容として「マップ」および「詳細情報」を切り替えることができ、表示内容「詳細情報」を選択していることが示されている。画像表示エリア１９４には、スポット情報に含まれているスポットの画像が表示される。
【０１２２】
ドロップダウンリスト１９６は、登録前スポット詳細画面１９１に表示されているスポット情報をマイスポット情報として登録する登録フォルダを指定するときに操作される。例えば、ドロップダウンリスト１９６が操作されることにより表示される登録フォルダの一覧の中から、任意の登録フォルダを指定することができる。ステータス切り替えボタン１９５は、図１０のステータス切り替えボタン１８５と同様に、スポットに対するステータスを切り替えるときに操作される。登録ボタン１９７は、登録前スポット詳細画面１９１に表示されているスポット情報を、マイスポット情報として登録することを実行するときに操作される。
【０１２３】
ユーザは、登録前スポット詳細画面１９１を利用して、マイスポット情報を登録することができる。
【０１２４】
このように、マイスポット情報登録処理部６２によりマイスポット情報が登録され、マイスポット情報が表示される。そして、ユーザ端末１３の現在位置を中心とした所定範囲内に、「行きたい」を示すステータスが設定されているマイスポット情報のスポットがあるとき、リマインダ表示処理部６３によりリマインダ画面が表示される。または、例えば、ユーザ端末１３の現在位置が所定の建物内となったときに、その建物内に「行きたい」を示すステータスが設定されているマイスポット情報のスポットがあるとき、リマインダ表示処理部６３によりリマインダ画面が表示される。
【０１２５】
次に、図１３には、リマインダ表示処理部６３がタッチパネル３１に表示するリマインダ画面が示されている。
【０１２６】
図１３に示すように、リマインダ画面２０１には、メッセージ表示エリア２０２、メッセージ表示エリア２０３、およびボタン２０４が表示される。
【０１２７】
メッセージ表示エリア２０２には、スポット情報集積サーバ１４の管理者から、サービスを利用するユーザに対するメッセージなどが表示される。
【０１２８】
メッセージ表示エリア２０３には、ユーザ端末１３の現在位置を中心とした所定範囲内に、「行きたい」を示すステータスが設定されているマイスポット情報のスポットがあることをユーザに通知するメッセージが表示される。図１３の例では、メッセージ表示エリア２０３には、メッセージ「『行きたい』に登録したスポットが近くに××件あります。」が表示されている。
【０１２９】
ボタン２０４は、メッセージ表示エリア２０３に表示されているメッセージを確認したユーザが、次の処理に進むように指示するときに操作される。ボタン２０４が操作されることにより、ユーザ端末１３の現在位置を中心とした所定範囲内に、「行きたい」を示すステータスが設定されているマイスポット情報を提示する処理が行われる。
【０１３０】
例えば、ユーザ端末１３の現在位置を中心とした所定範囲内に、「行きたい」を示すステータスが設定されているマイスポット情報が複数ある場合には、マイスポット情報のリスト表示画面が表示される。
【０１３１】
図１４には、リマインダ表示処理部６３がタッチパネル３１に表示するマイスポット情報のリスト表示画面が示されている。
【０１３２】
図１４に示すように、マイスポット情報のリスト表示画面２１１には、図９のマイスポット情報のリスト表示画面１７１と同様に、画面名表示エリア２１２、スポット名検索ウィンドウ２１３、並び替えボタン２１４、絞り込みボタン２１５、リスト表示エリア２１６、および地図表示エリア２１７が表示される。
【０１３３】
ここで、図９のリスト表示エリア１７６には、表示対象とされている登録フォルダに登録されているマイスポット情報のリストが表示される。これに対し、図１４のリスト表示エリア２１６には、ユーザ端末１３の現在位置を中心とした所定範囲内にある複数のマイスポットのマイスポット情報だけが表示される。そして、地図表示エリア２１７には、近接したスポットの位置を示すアイコン２１８が表示される。
【０１３４】
また、リマインダ表示処理部６３は、リスト表示エリア２１６におけるマイスポット情報を、現在位置からの距離が近い順に従って表示する。
【０１３５】
なお、ユーザ端末１３の現在位置を中心とした所定範囲内に、「行きたい」を示すステータスが設定されているマイスポット情報が１つだけである場合には、図１０と同様に、そのマイスポット情報の詳細表示画面１８１が表示される。また、ユーザが、リスト表示エリア２１６に表示されているマイスポット情報を選択した場合にも、マイスポット情報の詳細表示画面１８１が表示される。このとき、クーポンなどのお得な情報も同時に表示される。なお、当該スポットではないが周辺にあるスポットのクーポンなどのお得な情報を表示したり、マイスポット情報に登録したスポットがクーポンなどのお得な情報を発信したタイミングで、その旨を表示してもよい。
【０１３６】
次に、図１５は、スポット情報処理部３７の既存場所情報取得処理部６１およびマイスポット情報登録処理部６２が実行する処理を説明するフローチャートである。
【０１３７】
例えば、ユーザが、ユーザ端末１３を操作して、スポット情報処理部３７による処理を開始するように指示すると処理が開始され、ステップＳ１１において、タッチパネル３１にメインメニュー画面１０１（図３）が表示される。
【０１３８】
ステップＳ１１の処理後、処理はステップＳ１２に進み、既存場所情報取得処理部６１は、既存場所情報を取得する手段として選択されたのは、URL、SNS、および電話番号のいずれであるかを判定する。
【０１３９】
例えば、ユーザがメインメニュー画面１０１のURL同期開始ボタン１０８をタッチした場合には、ステップＳ１２において、既存場所情報取得処理部６１は、既存場所情報を取得する手段としてURLが選択されたと判定し、処理はステップＳ１３に進む。
【０１４０】
ステップＳ１３において、既存場所情報取得処理部６１は、タッチパネル３１にウェブページ選択画面１２１（図４）を表示する。そして、ユーザがリスト表示エリア１２５に表示されているウェブサイトを選択し、選択ボタン１２６をタッチしてウェブサイトの選択を決定すると、既存場所情報取得処理部６１は、ユーザにより選択されたウェブサイトから既存場所情報を取得する。その後、処理はステップＳ１５に進む。
【０１４１】
一方、例えば、ユーザがメインメニュー画面１０１のSNS同期開始ボタン１０９をタッチした場合には、ステップＳ１２において、既存場所情報取得処理部６１は、既存場所情報を取得する手段としてSNSが選択されたと判定し、処理はステップＳ１４に進む。
【０１４２】
ステップＳ１４において、既存場所情報取得処理部６１は、タッチパネル３１にチェックイン情報選択画面１３１（図５）を表示する。そして、ユーザがリスト表示エリア１３３に表示されているチェックイン情報を選択し、選択ボタン１３４をタッチしてチェックイン情報の選択を決定すると、既存場所情報取得処理部６１は、ユーザにより選択されたチェックイン情報から既存場所情報を取得する。その後、処理はステップＳ１５に進む。
【０１４３】
一方、例えば、ユーザがメインメニュー画面１０１の電話番号同期開始ボタン１０７をタッチした場合には、ステップＳ１２において、既存場所情報取得処理部６１は、既存場所情報を取得する手段として電話番号が選択されたと判定する。この場合、既存場所情報取得処理部６１は、記憶部３４に記憶されている電話帳リスト、発信履歴リスト、および着信履歴リストから全ての電話番号を読み出して、既存場所情報として取得し、処理はステップＳ１５に進む。
【０１４４】
ステップＳ１５において、既存場所情報取得処理部６１は、取得した既存場所情報を、通信部３５を介して図１のスポット情報集積サーバ１４に送信し、処理はステップＳ１６に進む。
【０１４５】
ステップＳ１６において、マイスポット情報登録処理部６２は、ステップＳ１５で送信された既存場所情報に基づいた検索を行った結果、スポット情報集積サーバ１４から送信されてくるスポット情報を受信する。
【０１４６】
ステップＳ１７において、マイスポット情報登録処理部６２は、タッチパネル３１にマイスポット情報登録画面１４１（図６）を表示する。マイスポット情報登録画面１４１のリスト表示エリア１４３には、ステップＳ１６で取得したスポット情報の一覧が表示される。ユーザがリスト表示エリア１４３に表示されているスポット情報を選択し、登録ボタン１４４をタッチして選択したスポット情報の登録を指示すると、処理はステップＳ１８に進む。
【０１４７】
ステップＳ１８において、マイスポット情報登録処理部６２は、ユーザにより選択されたスポット情報をマイスポット情報として登録する処理を行う。
【０１４８】
ステップＳ１９において、マイスポット情報登録処理部６２は、ステップＳ１８で登録したマイスポット情報のリスト表示画面１５１（図７）をタッチパネル３１に表示する。
【０１４９】
ステップＳ２０において、マイスポット情報登録処理部６２は、登録フォルダを一覧でタッチパネル３１に表示するフォルダ表示を行うか否かを判定する。例えば、ユーザがリスト表示画面１５１のフォルダ一覧ボタン１５４をタッチすると、マイスポット情報登録処理部６２は、フォルダ表示を行うと判定して処理はステップＳ２１に進む。
【０１５０】
ステップＳ２１において、マイスポット情報登録処理部６２は、登録フォルダを一覧で表示するフォルダ表示を行い、即ち、図８の登録フォルダ一覧表示のメインメニュー画面１６１を表示して、表示させる登録フォルダを選択させる。そして、ユーザによる選択に従って、タッチパネル３１には登録フォルダごとのマイスポット情報のリスト表示画面１７１（図９）が表示される。ステップＳ２１の処理後、または、ステップＳ２０において、マイスポット情報登録処理部６２がフォルダ表示を行わないと判定した場合、処理はステップＳ２２に進む。
【０１５１】
ステップＳ２２において、マイスポット情報登録処理部６２は、マイスポット情報の詳細表示を行うか否かを判定する。例えば、ユーザがリスト表示画面１７１のリスト表示エリア１７３に表示されているマイスポット情報をタッチすると、マイスポット情報登録処理部６２は、そのタッチされたマイスポット情報の詳細表示を行うと判定して処理はステップＳ２３に進む。
【０１５２】
ステップＳ２３において、マイスポット情報登録処理部６２は、ユーザがタッチしたマイスポット情報の詳細表示画面１８１（図１０）をタッチパネル３１に表示する。ステップＳ２３の処理後、または、ステップＳ２２において、マイスポット情報登録処理部６２がマイスポット情報の詳細表示を行わないと判定した場合、処理はステップＳ２４に進む。
【０１５３】
ステップＳ２４において、マイスポット情報登録処理部６２は、スポット情報処理部３７による処理を終了するか否かを判定する。例えば、ユーザがスポット情報処理部３７による処理を終了するように操作を行った場合、マイスポット情報登録処理部６２は、スポット情報処理部３７による処理を終了すると判定して、タッチパネル３１に表示させている画面を非表示にして処理を終了する。
【０１５４】
一方、ステップＳ２４において、マイスポット情報登録処理部６２が、スポット情報処理部３７による処理を終了しないと判定した場合、処理はステップＳ２５に進む。
【０１５５】
ステップＳ２５において、マイスポット情報登録処理部６２は、ユーザの操作に従ってメインメニュー画面１０１に戻るか否かを判定する。ステップＳ２５において、マイスポット情報登録処理部６２がメインメニュー画面１０１に戻らないと判定した場合、処理はステップＳ１９に戻り、以下、同様の処理が行われる。一方、ステップＳ２５において、マイスポット情報登録処理部６２がメインメニュー画面１０１に戻ると判定した場合には、処理はステップＳ１１に戻り、以下、同様の処理が行われる。
【０１５６】
なお、ステップＳ１１で表示されるメインメニュー画面１０１（スポット登録表示）と、ステップＳ２１で表示されるメインメニュー画面１６１（フォルダ一覧表示）とは、並列関係であり、どちらを表示させるかは、ユーザにより選択することができる。即ち、メインメニュー画面１６１の表示から処理が開始されるようにしてもよい。
【０１５７】
次に、図１６は、スポット情報処理部３７のリマインダ表示処理部６３が実行するリマインド処理を説明するフローチャートである。
【０１５８】
リマインダ表示処理部６３は、スポット情報処理部３７による処理が行われているときには常にリマインド処理を実行しており、ステップＳ３１において、位置情報検出部３２から出力される現在位置情報を取得する。
【０１５９】
ステップＳ３２において、リマインダ表示処理部６３は、マイスポット情報登録処理部６２により登録されたマイスポット情報を参照し、ユーザ端末１３の現在位置を中心とした所定範囲内に、「行きたい」を示すステータスが設定されているマイスポット情報のスポットがあるか否かを判定する。ステップＳ３２において、ユーザ端末１３の現在位置を中心とした所定範囲内に、「行きたい」を示すステータスが設定されているマイスポット情報のスポットがないと判定された場合、処理はステップＳ３１に戻り、以下、同様の処理が繰り返される。
【０１６０】
一方、ステップＳ３２において、リマインダ表示処理部６３が、ユーザ端末１３の現在位置を中心とした所定範囲内に、「行きたい」を示すステータスが設定されているマイスポット情報のスポットがあると判定した場合、処理はステップＳ３３に進む。ステップＳ３３において、リマインダ表示処理部６３は、タッチパネル３１にリマインダ画面２０１（図１３）を表示する。そして、ユーザがリマインダ画面２０１のボタン２０４をタッチすると、処理はステップＳ３４に進む。
【０１６１】
ステップＳ３４において、リマインダ表示処理部６３は、ユーザ端末１３の現在位置を中心とした所定範囲内にある、「行きたい」を示すステータスが設定されているマイスポット情報のスポットが複数であるか否かを判定する。
【０１６２】
ステップＳ３４において、スポットが複数であると判定された場合、処理はステップＳ３５に進み、リマインダ表示処理部６３は、マイスポット情報のリスト表示画面２１１（図１４）をタッチパネル３１に表示する。
【０１６３】
ステップＳ３６において、リマインダ表示処理部６３は、マイスポット情報の詳細表示を行うか否かを判定する。例えば、ユーザがリスト表示画面２１１のリスト表示エリア２１６に表示されているマイスポット情報をタッチすると、リマインダ表示処理部６３は、そのタッチされたマイスポット情報の詳細表示を行うと判定する。
【０１６４】
ステップＳ３６において、マイスポット情報の詳細表示を行わないと判定された場合、処理はステップＳ３７に進む。リマインダ表示処理部６３は、ユーザ端末１３の現在位置を中心とした所定範囲内にある、「行きたい」を示すステータスが設定されているマイスポット情報のスポットのリマインドを終了するか否かを判定する。ステップＳ３７において、リマインダ表示処理部６３がリマインドを終了しないと判定した場合には、処理はステップＳ３５に戻り、以下、同様の処理が繰り返される。
【０１６５】
一方、ステップＳ３６において、マイスポット情報の詳細表示を行うと判定された場合、処理はステップＳ３８に進み、リマインダ表示処理部６３は、ユーザがタッチしたマイスポット情報の詳細表示画面１８１（図１０）をタッチパネル３１に表示する。または、ステップＳ３４において、スポットが複数でない（即ち、単数である）と判定された場合、処理はステップＳ３８に進み、リマインダ表示処理部６３は、そのマイスポット情報の詳細表示画面１８１（図１０）をタッチパネル３１に表示する。
【０１６６】
ステップＳ３９において、リマインダ表示処理部６３は、ユーザ端末１３の現在位置を中心とした所定範囲内にある、「行きたい」を示すステータスが設定されているマイスポット情報のスポットのリマインドを終了するか否かを判定する。ステップＳ３９において、リマインダ表示処理部６３がリマインドを終了しないと判定した場合には、処理はステップＳ３８に戻り、以下、同様の処理が繰り返される。
【０１６７】
そして、ステップＳ３７またはＳ３９において、リマインダ表示処理部６３がリマインドを終了すると判定した場合、処理はステップＳ３１に戻り、以下、同様の処理が繰り返される。
【０１６８】
なお、リマインダ表示処理部６３は、同一のスポットについて、過去の所定期間内（例えば、２４時間以内）にリマインドとして表示されている場合には、そのスポットのリマインドを行わないようにすることができる。
【０１６９】
また、リマインダ表示処理部６３は、マイスポット情報のリスト表示画面２１１におけるマイスポット情報の表示を、所定の条件（例えば、都道府県、現在位置からの距離、ジャンル、写真の有無、登録日、更新日、情報源（URL、電話番号、SNS、キーワード、地図））に従って、絞り込みを行ってもよい。また、リマインダ表示処理部６３は、マイスポット情報のリスト表示画面２１１におけるマイスポット情報の並び順を、所定の条件（例えば、名称、都道府県、現在位置からの距離、登録日、または更新日）に従って、並び替えてもよい。なお、この処理は、マイスポット情報登録処理部６２が行ってもよい。
【０１７０】
さらに、例えば、リマインダ表示処理部６３は、マイスポット情報の登録日または更新日に基づいてマイスポット情報をフィルタリングし、現在から所定期間以内に登録または更新されたスポット情報だけを表示するようにしてもよい。なお、この処理は、マイスポット情報登録処理部６２が行ってもよい。
【０１７１】
また、スポット情報処理部３７は、図１の撮像部３３により撮像された画像に基づいてスポット情報を取得してもよい。例えば、撮像部３３が記憶部３４に記憶させる画像データに、位置情報検出部３２から出力される現在位置情報が付加されている場合、既存場所情報取得処理部６１は、その現在位置情報を既存場所情報として取得し、スポット情報集積サーバ１４に送信する。また、既存場所情報取得処理部６１は、文字認識処理によって、撮像部３３に撮像された画像に写されている文字を認識し、既存場所情報を取得してもよい。これにより、撮像部３３により撮像された画像に基づいてスポット情報を取得することができる。
【０１７２】
また、スポット情報処理部３７は、例えば、地図情報に基づいてスポット情報を取得してもよい。例えば、外部サービス連系機能処理部５３がタッチパネル３１に地図を表示させ、ユーザは、地図の所定箇所を指定する。これにより、既存場所情報取得処理部６１は、指定された箇所の位置情報（緯度および経度）を既存場所情報として取得し、これに基づきスポット情報を取得することができる。
【０１７３】
ところで、以上の説明では、ユーザの操作に応じてスポット情報を取得し、取得したスポット情報を提示している。これに対し、例えば、スポット情報処理部３７は、所定のタイミングで定期的にスポット情報を取得し、スポット情報を取得したことをユーザに通知することができる。
【０１７４】
既存場所情報取得処理部６１が、例えば、１日ごとに１回のタイミングで、スポット情報を取得する処理を行うように設定することができる。そして、処理を行うタイミングになると、既存場所情報取得処理部６１は記憶部３４に記憶される各種のリスト（閲覧履歴リスト、ブックマークリスト、電話帳リスト、発信履歴リスト、着信履歴リスト、または、チェックイン情報リスト）に基づいて、既存場所情報を取得する。このとき、既存場所情報取得処理部６１は、既存場所情報を取得するのが初めてであるときには、リストに登録されている全てを対象として既存場所情報を取得する処理を行う。また、既存場所情報取得処理部６１は、既存場所情報を取得するのが２回目以降であるときには、前回からの差分を対象としてスポット情報を取得する処理を行う。
【０１７５】
そして、マイスポット情報登録処理部６２は、閲覧履歴リスト、ブックマークリスト、電話帳リスト、発信履歴リスト、着信履歴リスト、およびチェックイン情報リストから既存場所情報を取得した場合には、スポット情報集積サーバ１４から検索結果として送信されてくるスポット情報を受信すると、その受信したタイミングで、スポット情報を受信した旨のメッセージ（例えば、図３に示したマーク「NEW」など）をタッチパネル３１に表示する。加えて、マイスポット情報登録処理部６２は、スポット情報集積サーバ１４から検索結果として送信されてくるスポット情報を受信すると、受信したスポット情報が表示されるマイスポット情報登録画面１４１（図６）をタッチパネル３１に表示する。また、マイスポット情報登録処理部６２は、チェックイン情報リストから取得した既存場所情報に基づく検索結果としてスポット情報集積サーバ１４から送信されてくるスポット情報を受信すると、チェックイン情報選択画面１３１（図５）をタッチパネル３１に表示する。
【０１７６】
なお、本技術は、いわゆるスマートフォンのようなユーザ端末１３の他、例えば、ネットワーク１２を介して通信を行うことができる機器、具体的には、パーソナルコンピュータや、タブレット型コンピュータ、ＰＤＡ、ウェアラブルデバイス（例えば、眼鏡型や時計型などの身に着けることが可能な表示デバイス）、電子書籍端末、テレビジョン受像機などに適用することができる。即ち、これらの機器が、上述したユーザ端末１３の処理を実行することができる。
【０１７７】
また、例えば、既存場所情報取得処理部６１は、ユーザ端末１３が受信または送信した電子メールに記載されているＵＲＬや電話番号を既存場所情報として取得し、マイスポット情報登録処理部６２が自動的にマイスポット情報を登録してもよい。
【０１７８】
また、既存場所情報取得処理部６１は、ユーザ端末１３がテレビジョン放送を受信することができる場合、視聴している番組の音声や、番組で挿入される文字、番組の詳細情報、ＥＰＧ（Electronic Program Guide）データなどから、番組で紹介されたスポットについての既存場所情報を取得し、マイスポット情報登録処理部６２が自動的にマイスポット情報を登録してもよい。または、番組を録画するレコーダに本技術を適用し、レコーダに録画された番組から、番組で紹介されたスポットについての既存場所情報を取得し、自動的にマイスポット情報を登録してもよい。さらに、ユーザ端末１３がテレビジョン受像機をリモートコントロールすることができる場合、視聴履歴に基づいて、テレビジョン受像機で視聴された番組から、番組で紹介されたスポットについての既存場所情報を取得し、自動的にマイスポット情報を登録してもよい。
【０１７９】
なお、ユーザ端末１３が電子書籍機能を備えている場合、ユーザ端末１３で読まれた書籍（雑誌や本など）で紹介されたスポットについての既存場所情報を取得し、自動的にマイスポット情報を登録してもよい。
【０１８０】
また、ブラウザ機能処理部５１が、ウェブページを表示する際に、マイスポット情報を登録するボタンを表示し、そのボタンに対する操作が行われたときに、表示中のウェブページに含まれている既存場所情報を取得し、自動的にマイスポット情報を登録してもよい。さらに、ユーザがユーザ端末１３を使用して所定のＳＮＳにチェックインすると、その位置情報に基づいて既存場所情報を取得し、自動的にマイスポット情報を登録してもよい。また、簡易的なメッセージを投稿するサービスや、ユーザどうしでメッセージを交換するサービスなどにおいて、特定の他のユーザが投稿または交換したメッセージに含まれているＵＲＬや電話番号を既存場所情報として取得し、マイスポット情報登録処理部６２が自動的にマイスポット情報を登録してもよい。また、それらのメッセージに書き込まれる画像（スタンプ）にスポット情報を関連付けることで、その画像を利用して、ユーザどうしでスポット情報を交換することができる。
【０１８１】
さらに、マイスポット情報として登録した情報をカーナビゲーションなどの他の装置に転送して、その転送先の装置で情報を活用してもよい。また、図９に示したように、地図表示エリア１７７に地図を表示するとき、マイスポット情報として登録されたスポットを、ＡＲ（Augmented Reality）で表示してもよい。また、そのスポットを目的地としてナビゲーションを行うとき、目的地のスポットをＡＲで表示したり、目的地の周辺地域情報、セール情報、または営業時間情報などを重畳して表示してもよい。
【０１８２】
マイスポット情報登録処理部６２は、位置情報検出部３２から供給される位置情報に基づいて、例えば、ステータス切り替えボタン１４７により「行きたい」を示すステータスが設定されているスポットに到着したとき、自動的に、ステータスを「行った」に変更することができる。または、マイスポット情報登録処理部６２は、そのスポットに滞在している滞在時間や移動速度などから行動認識を行って、自動的に、ステータスを「行った」に変更することができる。また、マイスポット情報登録処理部６２は、「行った」を示すステータスが設定されているスポットを、到着日ごとに自動的に分類することができる。
【０１８３】
また、ステータスとして「これから行く」が設けられているとき、マイスポット情報登録処理部６２は、そのスポットへのナビゲーション中において、ステータスを「これから行く」に設定する。そして、複数のスポットのステータスが「これから行く」に設定されている場合、それらの複数のスポットに行く最適なルートを表示することができる。
【０１８４】
さらに、ユーザ端末１３に登録されているマイスポット情報を、他のユーザと共有してもよい。例えば、複数のユーザのマイスポット情報から、所定のスポットのステータス「行った」または「行きたい」のランキングを作成し、お勧めスポットとしてユーザにリコメンドすることができる。また、複数のユーザのマイスポット情報から、地域やジャンルなどに基づいてお勧めスポットを選択してユーザにリコメンドすることができる。そして、複数のユーザのマイスポット情報を集積して、ステータスが「行った」または「行きたい」となっているスポットに関する情報を、マーケティングデータとして活用または販売することができる。
【０１８５】
また、ユーザ端末１３は、マイスポット情報として登録したスポットの広告やクーポンなど、または、そのスポットの近隣のスポットの広告やクーポンなどを、上述した各画面（例えば、図１３のメッセージ表示エリア２０２）に表示することができる。或いは、ユーザ端末１３は、マイスポット情報として登録したスポットの地域およびジャンルから、関連するスポットの広告やクーポンなどを画面に表示することができる。
【０１８６】
また、例えば、外部サービス連系機能処理部５３によるチェックイン情報から取得された既存場所情報に基づいてマイスポット情報が登録されたとき、電話機能処理部５２が、そのスポットの電話番号を電話帳リストに登録し、ブラウザ機能処理部５１が、そのスポットのＵＲＬをブックマークリストに登録することができる。
【０１８７】
さらに、例えば、スポット情報集積サーバ１４によるサービスを提供するサービス提供会社が、情報提供装置１５Ａ乃至１５Ｃのサービス提供会社と連携して、情報提供装置１５Ａ乃至１５Ｃのサービス提供会社が運営するウェブサイト内に、マイスポット情報を登録するためのマイスポット登録ボタンを設置してもよい。これにより、ユーザは、情報提供装置１５Ａ乃至１５Ｃのサービス提供会社が運営するウェブサイトを閲覧し、マイスポット登録ボタンをタッチするだけで、マイスポット情報を登録することができる。また、情報提供装置１５Ａ乃至１５Ｃのサービス提供会社が提供するウェブサイトにおいて、ユーザが指定する特定の利用者がスポットについての情報を登録すると、そのスポットの情報がマイスポット情報に登録されるようにしてもよい。
【０１８８】
また、ユーザ端末１３は、地図を表示するアプリケーションを実行して、そのアプリケーションにおいて所定のスポットを登録すると、マイスポット情報登録処理部６２が、自動的に、そのスポットのスポット情報をマイスポット情報として登録することができる。
【０１８９】
なお、上述のフローチャートを参照して説明した各処理は、必ずしもフローチャートとして記載された順序に沿って時系列に処理する必要はなく、並列的あるいは個別に実行される処理（例えば、並列処理あるいはオブジェクトによる処理）も含むものである。また、プログラムは、１のCPUにより処理されるものであっても良いし、複数のCPUによって分散処理されるものであっても良い。また、本明細書において、システムとは、複数の装置により構成される装置全体を表すものである。
【０１９０】
また、上述した一連の処理（情報処理方法）は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラムが記録されたプログラム記録媒体からインストールされる。
【０１９１】
図１７は、上述した一連の処理をプログラムにより実行するコンピュータのハードウエアの構成例を示すブロック図である。
【０１９２】
コンピュータにおいて、CPU（Central Processing Unit）３０１，ROM（Read Only Memory）３０２，RAM（Random Access Memory）３０３は、バス３０４により相互に接続されている。
【０１９３】
バス３０４には、さらに、入出力インタフェース３０５が接続されている。入出力インタフェース３０５には、キーボード、マウス、マイクロホンなどよりなる入力部３０６、ディスプレイ、スピーカなどよりなる出力部３０７、ハードディスクや不揮発性のメモリなどよりなる記憶部３０８、ネットワークインタフェースなどよりなる通信部３０９、磁気ディスク、光ディスク、光磁気ディスク、或いは半導体メモリなどのリムーバブルメディア３１１を駆動するドライブ３１０が接続されている。
【０１９４】
以上のように構成されるコンピュータでは、CPU３０１が、例えば、記憶部３０８に記憶されているプログラムを、入出力インタフェース３０５及びバス３０４を介して、RAM３０３にロードして実行することにより、上述した一連の処理が行われる。
【０１９５】
コンピュータ（CPU３０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア３１１に記録して、あるいは、ローカルエリアネットワーク、インターネット、デジタル衛星放送といった、有線または無線の伝送媒体を介して提供される。
【０１９６】
そして、プログラムは、リムーバブルメディア３１１をドライブ３１０に装着することにより、入出力インタフェース３０５を介して、記憶部３０８にインストールすることができる。また、プログラムは、有線または無線の伝送媒体を介して、通信部３０９で受信し、記憶部３０８にインストールすることができる。その他、プログラムは、ROM３０２や記憶部３０８に、あらかじめインストールしておくことができる。
【０１９７】
なお、本技術は以下のような構成も取ることができる。
（１）
既存の場所を特定する情報である既存場所情報を取得する既存場所情報取得部と、
前記既存場所情報に基づいて、複数の情報提供装置から提供されるスポットに関する情報であるスポット情報を取得し、取得したスポット情報のうちのユーザにより指定されたスポット情報をマイスポット情報として登録するマイスポット情報登録部と
を備える情報処理装置。
（２）
現在位置の情報を示す現在位置情報に従って、前記現在位置に基づいた所定範囲内にある前記スポットのスポット情報をユーザに提示するリマインダ処理部
をさらに備える上記（１）に記載の情報処理装置。
（３）
音声通話に関する処理を行う電話機能処理部をさらに備え、
前記既存場所情報取得部は、前記電話機能処理部により登録された電話番号、前記電話機能処理部により発信または着信された電話番号を前記既存場所情報として取得する
上記（１）または（２）に記載の情報処理装置。
（４）
ウェブページを表示させるブラウザ機能処理部をさらに備え、
前記既存場所情報取得部は、前記ブラウザ機能処理部により登録されたウェブページ、または、前記ブラウザ機能処理部による閲覧履歴に記録されたウェブページから、前記既存場所情報を取得する
上記（１）から（３）までのいずれかに記載の情報処理装置。
（５）
外部サービスと連系した処理を行う外部サービス連系機能処理部をさらに備え、
前記既存場所情報取得部は、前記外部サービス連系機能処理部が取得する前記外部サービスにおいて投稿される少なくとも位置情報を含むチェックイン情報を、前記既存場所情報として取得する
上記（１）から（４）までのいずれかに記載の情報処理装置。
（６）
前記既存場所情報取得部は、所定のタイミングで定期的に前記既存場所情報を取得し、
前記マイスポット情報登録部は、前記既存場所情報に基づいて前記スポット情報を取得したタイミングで、前記スポット情報を取得した旨をユーザに通知する
上記（１）から（５）までのいずれかに記載の情報処理装置。
（７）
前記スポット情報を表示する表示部をさらに備え、
前記表示部は、所定のスポットについて詳細な情報を表示するとき、そのスポットについて複数の前記情報提供装置から提供される前記スポット情報を統合して、１画面内に並べて表示する
上記（１）から（６）までのいずれかに記載の情報処理装置。
（８）
前記表示部は、前記マイスポット情報登録部が取得した、複数の前記情報提供装置から提供される前記スポット情報を統合した一覧となるリストを表示する
上記（７）に記載の情報処理装置。
（９）
既存の場所を特定する情報である既存場所情報を取得し、
前記既存場所情報に基づいて、複数の情報提供装置から提供されるスポットに関する情報であるスポット情報を取得し、取得したスポット情報のうちのユーザにより指定されたスポット情報をマイスポット情報として登録する
ステップを含む情報処理方法。
（１０）
既存の場所を特定する情報である既存場所情報を取得し、
前記既存場所情報に基づいて、複数の情報提供装置から提供されるスポットに関する情報であるスポット情報を取得し、取得したスポット情報のうちのユーザにより指定されたスポット情報をマイスポット情報として登録する
ステップを含む処理をコンピュータに実行させるプログラム。
（１１）
既存の場所を特定する情報である既存場所情報を取得する既存場所情報取得部と、
前記既存場所情報に基づいて、複数の情報提供装置から提供されるスポットに関する情報であるスポット情報を検索し、その検索結果を提供するスポット情報提供処理部と、
前記スポット情報提供処理部から提供される前記スポット情報のうちのユーザにより指定されたスポット情報をマイスポット情報として登録するマイスポット情報登録部と
を備える情報処理システム。
【０１９８】
なお、本実施の形態は、上述した実施の形態に限定されるものではなく、本開示の要旨を逸脱しない範囲において種々の変更が可能である。
【符号の説明】
【０１９９】
１１  情報処理システム，  １２  ネットワーク，  １３  ユーザ端末，  １４  スポット情報集積サーバ，  １５Ａ乃至１５Ｃ  情報提供装置，  ２１  スポット情報収集処理部，  ２２  スポット情報蓄積部，  ２３  スポット情報提供処理部，  ３１  タッチパネル，  ３２  位置情報検出部，  ３３  撮像部，  ３４  記憶部，  ３５  通信部，  ３６  機能実行部，  ３７  スポット情報処理部，  ４１  表示部，  ４２  検出部，  ５１  ブラウザ機能処理部，  ５２  電話機能処理部，  ５３  外部サービス連系機能処理部，  ６１  既存場所情報取得処理部，  ６２  マイスポット情報登録処理部，  ６３  リマインダ表示処理部
【図１】
2015014946.tif 000003
【図２】
2015014946.tif 000004
【図３】
2015014946.tif 000005
【図４】
2015014946.tif 000006
【図５】
2015014946.tif 000007
【図６】
2015014946.tif 000008
【図７】
2015014946.tif 000009
【図８】
2015014946.tif 000010
【図９】
2015014946.tif 000011
【図１０】
2015014946.tif 000012
【図１１】
2015014946.tif 000013
【図１２】
2015014946.tif 000014
【図１３】
2015014946.tif 000015
【図１４】
2015014946.tif 000016
【図１５】
2015014946.tif 000017
【図１６】
2015014946.tif 000018
【図１７】
2015014946.tif 000019